(57)【特許請求の範囲】
【請求項１】
ＡＶ信号を再生する再生装置であって、前記再生装置自身を特定する識別コードを生成する識別コード生成部と、前記識別コード生成部が生成した識別コードに基づいて前記ＡＶ信号に電子透かしを埋め込み埋め込み済みＡＶ信号を生成する電子透かし埋め込み部と、前記埋め込み済みＡＶ信号を外部に出力する出力部とを備える再生装置において、
前記再生装置と、前記埋め込み済みＡＶ信号に基づいて前記再生装置を特定する再生装置特定装置とは、複数の信号系列と対応関係とを互いに同じ内容となるように共有し、
前記複数の信号系列は、前記ＡＶ信号に埋め込まれうる有限個の信号系列からなり、
前記対応関係は、前記識別コードの内容とこの内容に対応して前記ＡＶ信号に埋め込まれ且つ前記複数の信号系列に属する信号系列との関係を定めた対応表により表現され、
前記対応表は、前記識別コードをビット展開したときのビット列の内容とこのビット列の内容に対応して前記ＡＶ信号に埋め込まれ且つ前記複数の信号系列に属する信号系列との対応関係を定め、
前記電子透かし埋め込み部は、前記対応関係に基づいて前記ＡＶ信号に前記複数の信号系列に属する信号系列を埋め込むことを特徴とする再生装置。
【請求項２】
前記識別コードは、再生装置の装置ＩＤ、再生装置に接続されたＩＣカードのカードＩＤ、利用者のユーザＩＤ、ＡＶ信号の素材ＩＤ、ＡＶ信号が蓄積されたメディアのメディアＩＤ、再生日時のうち、一種又は二種以上を組み合わせたものであることを特徴とする請求項１記載の再生装置。
【請求項３】
前記対応表は、前記識別コードを展開した２値のビット列において「０」または「１」のいずれかの値を持つビット位置に対応し且つ前記複数の信号系列に属する信号系列との関係を定め、
前記電子透かし埋め込み部は、この対応関係に基づいて前記ＡＶ信号に、前記識別コードを展開した２値のビット列において「０」または「１」のいずれかの値を持つビット位置に対応し且つ前記複数の信号系列に属する信号系列を埋め込むことを特徴とする請求項１記載の再生装置。
【請求項４】
前記電子透かし埋め込み部は、前記識別コードを展開した２値のビット列において「０」または「１」のいずれかの値を持つビット位置に対応し且つ前記複数の信号系列に属する信号系列を、複数定め、前記ＡＶ信号の所定の単位毎に定めた複数の信号系列を埋め込むことを特徴とする請求項３記載の再生装置。
【請求項５】
前記電子透かし埋め込み部は、前記識別コードを展開した２値のビット列において「０」または「１」のいずれかの値を持つビット位置に対応し且つ前記複数の信号系列に属する信号系列を、複数定め、定めた複数の信号系列を、一定時間あたり同じ割合で、ランダムに前記ＡＶ信号に埋め込むことを特徴とする請求項３記載の再生装置。
【請求項６】
埋め込み済みＡＶ信号に基づいて再生装置を特定する再生装置特定装置であって、
前記再生装置と、複数の信号系列と対応表とを互いに同じ内容となるように共有する信号系列記録部を備え、
前記複数の信号系列は、前記埋め込み済みＡＶ信号に埋め込まれうる有限個の信号系列からなり、
前記対応表は、前記識別コードをビット展開したときのビット列の内容とこのビット列の内容に対応して前記埋め込み済みＡＶ信号に埋め込まれ且つ前記複数の信号系列に属する信号系列との対応関係を定め、
前記再生装置特定装置は、さらに、
前記埋め込み済みＡＶ信号を入力する入力部と、
前記入力部が入力する前記埋め込み済みＡＶ信号と前記対応表に含まれる全ての信号系列との相関値を計算し、得られた相関値の中で、最大の相関値を出力する相関値算出部と、
前記相関値算出部が出力する最大の相関値との比較に用いる相関値の閾値を設定する閾値設定部と、
前記相関値算出部が出力する最大の相関値と前記閾値設定部で設定された閾値を比較し、最大の相関値が閾値を超える信号系列を出力する比較部と、
前記比較部が出力する信号系列と前記対応表から識別コードを定める識別コード判定部と、
定められた識別コードを出力する識別コード出力部とを備えたことを特徴とする再生装置特定装置。
【請求項７】
ＡＶ信号を再生する再生装置であって、前記再生装置自身を特定する識別コードを生成する識別コード生成部と、前記識別コード生成部が生成した識別コードに基づいて前記ＡＶ信号に電子透かしを埋め込み埋め込み済みＡＶ信号を生成する電子透かし埋め込み部と、前記埋め込み済みＡＶ信号を外部に出力する出力部とを備える再生装置における再生方法において、
前記再生装置と、前記埋め込み済みＡＶ信号に基づいて前記再生装置を特定する再生装置特定装置とは、複数の信号系列と対応関係とを互いに同じ内容となるように共有し、
前記複数の信号系列は、前記ＡＶ信号に埋め込まれうる有限個の信号系列からなり、
前記対応関係は、前記識別コードの内容とこの内容に対応して前記ＡＶ信号に埋め込まれ且つ前記複数の信号系列に属する信号系列との関係を定めた対応表により表現され、
前記対応表は、前記識別コードをビット展開したときのビット列の内容とこのビット列の内容に対応して前記ＡＶ信号に埋め込まれ且つ前記複数の信号系列に属する信号系列との対応関係を定め、
前記対応関係に基づいて前記ＡＶ信号に前記複数の信号系列に属する信号系列を埋め込むことを特徴とする再生方法。
【請求項８】
前記識別コードは、再生装置の装置ＩＤ、再生装置に接続されたＩＣカードのカードＩＤ、利用者のユーザＩＤ、ＡＶ信号の素材ＩＤ、ＡＶ信号が蓄積されたメディアのメディアＩＤ、再生日時のうち、一種又は二種以上を組み合わせたものであることを特徴とする請求項７記載の再生方法。
【請求項９】
前記対応表は、前記識別コードを展開した２値のビット列において「０」または「１」のいずれかの値を持つビット位置に対応し且つ前記複数の信号系列に属する信号系列との関係を定め、
この対応関係に基づいて前記ＡＶ信号に、前記識別コードを展開した２値のビット列において「０」または「１」のいずれかの値を持つビット位置に対応し且つ前記複数の信号系列に属する信号系列を埋め込むことを特徴とする請求項７記載の再生方法。
【請求項１０】
前記識別コードを展開した２値のビット列において「０」または「１」のいずれかの値を持つビット位置に対応し且つ前記複数の信号系列に属する信号系列を、複数定め、前記ＡＶ信号の所定の単位毎に定めた複数の信号系列を埋め込むことを特徴とする請求項９記載の再生方法。
【請求項１１】
前記識別コードを展開した２値のビット列において「０」または「１」のいずれかの値を持つビット位置に対応し且つ前記複数の信号系列に属する信号系列を、複数定め、定めた複数の信号系列を、一定時間あたり同じ割合で、ランダムに前記ＡＶ信号に埋め込むことを特徴とする請求項９記載の再生方法。
【請求項１２】
埋め込み済みＡＶ信号に基づいて再生装置を特定する再生装置特定装置であって、前記再生装置と、複数の信号系列と対応表とを互いに同じ内容となるように共有する信号系列記録部を備える再生装置特定装置における再生装置特定方法であって、
前記複数の信号系列は、前記埋め込み済みＡＶ信号に埋め込まれうる有限個の信号系列からなり、
前記対応表は、前記識別コードをビット展開したときのビット列の内容とこのビット列の内容に対応して前記埋め込み済みＡＶ信号に埋め込まれ且つ前記複数の信号系列に属する信号系列との対応関係を定め、
前記埋め込み済みＡＶ信号を入力するステップと、
前記埋め込み済みＡＶ信号と前記対応表に含まれる全ての信号系列との相関値を計算し、得られた相関値の中で、最大の相関値を出力するステップと、
出力された最大の相関値との比較に用いる相関値の閾値を設定するステップと、
出力された最大の相関値と設定された閾値を比較し、最大の相関値が閾値を超える信号系列を出力するステップと、
出力された信号系列と前記対応表から識別コードを定めるステップと、
定められた識別コードを出力するステップとを備えることを特徴とする再生装置特定方法。
【発明の詳細な説明】
【０００１】
【発明の属する技術分野】
本発明は、ＡＶ（本明細書において、音声・映像の一方のみ、又は、音声・映像の両方（混在させる形態は任意）を、「ＡＶ」という）信号の再生装置に係り、さらに詳しくは、この再生装置から出力されるＡＶ信号（再生信号）に、再生装置を特定する識別コード等を、電子透かしとして、埋め込む技術に関する。
【０００２】
また本発明は、ＡＶ信号（再生信号）から、電子透かしを抽出して、このＡＶ信号（再生信号）を出力した、再生装置を特定する再生装置特定装置に関する。
【０００３】
ここで、本明細書における「再生装置」には、記録媒体からＡＶ信号を再生する機能のみを有する装置だけでなく、この再生する機能と、記録媒体にＡＶ信号を記録する機能とを、両方持つ装置も含む。
【０００４】
【従来の技術】
最近では、様々な形態で、ＡＶデータを記録再生することができる。ＡＶデータは、ＶＨＳのように、アナログ信号として、記録再生することもできるし、ＤＶＤのように、デジタル信号として、記録再生することもできる。
【０００５】
また、ＡＶデータは、音声信号のみ、あるいは、映像（動画のみでなく静止画も含む）信号のみで構成することもでき、アナログ信号またはデジタル信号で、記録再生できる。
【０００６】
本発明は、以上のような、さまざまな信号形態による、ＡＶデータに適用できるものである。
【０００７】
特に最近では、デジタルコンテンツ（デジタル信号によるＡＶデータ）が広く利用されている。
【０００８】
アナログ、デジタルの如何を問わず、ＡＶデータとして記録再生されるものが、著作物性を持つときには、その著作権が保護されなければならない。特に、不正な複製を禁止することが重要である。
【０００９】
アナログ信号によるＡＶデータは、複製可能であるが、複製を行うと、品質（音質または画質など）の劣化が、避けられない。したがって、むやみな複製は行いにくいと言えよう。
【００１０】
ところが、デジタルコンテンツは、複製による品質劣化が、全くない。つまり、オリジナルとまったく同じものを簡単に複製できてしまう。
【００１１】
不正に複製されたコンテンツ（又はそのコンテンツに由来して配布されるコンテンツ）は、そのままでは、オリジナルと区別がつかないから、その不正を立証する証拠を示すことは困難である。このため、著作権の保護を実効あらしめるための、技術的手法の確立が求められている。
【００１２】
この手法の一つとして、「電子透かし」を利用することが検討されている。
【００１３】
「電子透かし」は、ＡＶデータの中に、視聴者に知覚できないように埋め込まれるデータであり、埋め込まれたＡＶデータから、電子透かしを抽出することができるように工夫されている。
【００１４】
著作権の保護を行うために、著作権情報（例えば、著作権者名や日付等）を、電子透かしとして、ＡＶデータに埋め込む。
【００１５】
そして、不正な複製されたと疑われている、ＡＶデータから、埋め込まれた電子透かし（著作権情報）を抽出し、そのコンテンツの著作権者等を明らかにし、不正な複製を、暴く。これにより、不正な複製を予防しようとするものである。
【００１６】
電子透かしをＡＶデータに埋め込む、具体的な技術については、例えば、松井甲子雄著「電子透かしの基礎‐マルチメディアのニュープロテクト技術」（森北出版１９９８年）等に詳しく述べられている。
【００１７】
また、ＡＶ信号中に電子透かしを埋め込み、コンテンツの不正複製を防止する点につき、日本国特許第２９８２７６８号公報という文献がある。
【００１８】
この文献記載の技術では、予め、ＡＶ信号中に不正複製防止制御信号を電子透かしとして埋め込む。
【００１９】
そして、ＡＶ信号の再生時に、ＡＶ信号中から不正複製防止信号を抽出し、不正複製防止信号が抽出された場合には、新たにノイズを電子透かしとして付加する。
【００２０】
したがって、このものによって、不正に複製された記録媒体を視聴すると、再生あるいは複製の度に、ＡＶ信号にノイズが付与され、ＡＶ信号の品質（音質や画質）の劣化が大きくなる。ついには、ＡＶ信号に多量のノイズが付加されて、もはや視聴に耐えられなるから、結局、不正な複製を防止できるとするものである。
【００２１】
【発明が解決しようとする課題】
（１）しかしながら、従来技術では、複製に利用した再生装置を特定することができない。なぜなら、従来技術において、ＡＶ信号に埋め込まれる電子透かしは、例えば、著作者名や、意味を持たないランダムなノイズなど、再生装置と何ら関係がない情報であるからである。仮に、著作者名が明らかとなっても、不正複製をしたという事実に関する証拠が得られなければ、ほとんど実益がない。
【００２２】
複製に利用した再生装置を特定できれば、その再生装置の所有者あるいは使用者が、不正複製に関与したであろうと、高い蓋然性を持って、主張できるであろうが、従来技術では、このようなことは不可能である。
【００２３】
したがって、従来技術では、不正複製を有効に抑止できないという問題点がある。
【００２４】
本発明の第１の目的は、複製に利用した再生装置を特定できる技術を提供することである。
【００２５】
（２）上記文献に従って、埋め込まれた電子透かしを抽出するには、埋め込みに使う全てのノイズ列と、電子透かしが埋め込まれた信号との、相関値を求め、最大の相関値を示したノイズ列を、埋めこみノイズ列として抽出するのが、一般的である。しかしながら、埋め込むノイズ列を任意に選択すると、ノイズ列の中には、偶然に、大きな相関値を示すものが発生するおそれがあり、埋め込んだノイズ列を、正確に抽出できないことがある。
【００２６】
本発明の第２の目的は、埋め込んだ電子透かしを精度良く抽出できる技術を提供することである。
【００２７】
（３）不正複製を行う人々は、ＡＶ信号を故意に加工して、電子透かしとして埋め込まれた情報を、抽出できなくするようにする場合がある。例えば、信号の順序を入れ変えたり、信号の一部を抜き取ったりする。このような加工が行われると、従来技術では、埋め込まれた電子透かしを正しく抽出できない。
【００２８】
本発明の第３の目的は、第三者が、ＡＶ信号を加工しても、確実に、電子透かしを抽出できる技術を提供することである。
【００２９】
（４）また、不正複写を行う人々は、埋め込まれた情報や埋め込み方法を解析して、偽の電子透かしを、故意に、埋め込む場合がある。そして、従来技術では、第三者が解析に成功すると、著作権の保護が不十分になるという問題点があった。
【００３０】
本発明の第４の目的は、第三者が電子透かしの解析に成功しても、これに対抗できる技術を提供することである。
【００３１】
【課題を解決するための手段】
第１の発明に係る再生装置は、ＡＶ信号を再生する再生装置であって、再生装置自身を特定する識別コードを生成する識別コード生成部と、識別コード生成部が生成した識別コードに基づいてＡＶ信号に電子透かしを埋め込み埋め込み済みＡＶ信号を生成する電子透かし埋め込み部と、埋め込み済みＡＶ信号を外部に出力する出力部とを備える再生装置において、再生装置と、埋め込み済みＡＶ信号に基づいて再生装置を特定する再生装置特定装置とは、複数の信号系列と対応関係とを互いに同じ内容となるように共有し、複数の信号系列は、ＡＶ信号に埋め込まれうる有限個の信号系列からなり、対応関係は、識別コードの内容とこの内容に対応してＡＶ信号に埋め込まれ且つ複数の信号系列に属する信号系列との関係を定めた対応表により表現され、対応表は、識別コードをビット展開したときのビット列の内容とこのビット列の内容に対応してＡＶ信号に埋め込まれ且つ複数の信号系列に属する信号系列との対応関係を定め、電子透かし埋め込み部は、対応関係に基づいてＡＶ信号に複数の信号系列に属する信号系列を埋め込む。
【００３３】
第２の発明に係る再生装置では、識別コードは、再生装置の装置ＩＤ、再生装置に接続されたＩＣカードのカードＩＤ、利用者のユーザＩＤ、ＡＶ信号の素材ＩＤ、ＡＶ信号が蓄積されたメディアのメディアＩＤ、再生日時のうち、一種又は二種以上を組み合わせたものである。
【００３４】
第３の発明に係る再生装置では、対応表は、識別コードを展開した２値のビット列において「０」または「１」のいずれかの値を持つビット位置に対応し且つ複数の信号系列に属する信号系列との関係を定め、電子透かし埋め込み部は、この対応関係に基づいてＡＶ信号に、識別コードを展開した２値のビット列において「０」または「１」のいずれかの値を持つビット位置に対応し且つ複数の信号系列に属する信号系列を埋め込む。
【００３５】
第４の発明に係る再生装置では、電子透かし埋め込み部は、識別コードを展開した２値のビット列において「０」または「１」のいずれかの値を持つビット位置に対応し且つ複数の信号系列に属する信号系列を、複数定め、ＡＶ信号の所定の単位毎に定めた複数の信号系列を埋め込む。
【００３６】
第５の発明に係る再生装置では、電子透かし埋め込み部は、識別コードを展開した２値のビット列において「０」または「１」のいずれかの値を持つビット位置に対応し且つ複数の信号系列に属する信号系列を、複数定め、定めた複数の信号系列を、一定時間あたり同じ割合で、ランダムにＡＶ信号に埋め込む。
【００３７】
第６の発明に係る再生装置特定装置は、埋め込み済みＡＶ信号に基づいて再生装置を特定する再生装置特定装置であって、再生装置と、複数の信号系列と対応表とを互いに同じ内容となるように共有する信号系列記録部を備え、複数の信号系列は、埋め込み済みＡＶ信号に埋め込まれうる有限個の信号系列からなり、対応表は、識別コードをビット展開したときのビット列の内容とこのビット列の内容に対応して埋め込み済みＡＶ信号に埋め込まれ且つ複数の信号系列に属する信号系列との対応関係を定め、再生装置特定装置は、さらに、埋め込み済みＡＶ信号を入力する入力部と、入力部が入力する埋め込み済みＡＶ信号と対応表に含まれる全ての信号系列との相関値を計算し、得られた相関値の中で、最大の相関値を出力する相関値算出部と、相関値算出部が出力する最大の相関値との比較に用いる相関値の閾値を設定する閾値設定部と、相関値算出部が出力する最大の相関値と閾値設定部で設定された閾値を比較し、最大の相関値が閾値を超える信号系列を出力する比較部と、比較部が出力する信号系列と対応表から識別コードを定める識別コード判定部と、定められた識別コードを出力する識別コード出力部とを備える。
【００４３】
【発明の実施の形態】
以下、図面を参照しながら、本発明の実施の形態を説明する。まず、図１を用いて、本形態の再生装置特定システムの概要を説明する。
【００４４】
図１は、本発明の実施の形態に係る再生装置特定システムのブロック図である。
【００４５】
さて、図１に示す例では、複製者１０が、オリジナルの、記録媒体１を再生装置３で再生し、ＡＶ信号記録装置４を用いて複製記録媒体２へ不正複製を行うものとする。
【００４６】
そして、複製者１０による不正複製の物証として、複製記録媒体２が提示され、複製記録媒体２が再生装置３を用いて複製を行った事実を、再生装置特定装置５により明らかにしようとするものとする。
【００４７】
なお、複製者１０には、記録媒体１の複製権はなく、複製者１０は、再生装置３の所有者又は使用者であることが、予め、判明しているものとする。
【００４８】
ここで、記録媒体１、複製記録媒体２における、信号形態は任意であって、アナログ／デジタルのどちらでも良い。また、記録媒体１、複製記録媒体２の、記録媒体の形式も任意であり、ディスク、テープ、ハードディスクなど、種々選択して差し支えない。
【００４９】
ここで一般的に、再生装置３は、市場に大量に流通するものであり、再生装置特定装置５は、記録媒体１の著作権を管理する団体、著作権違反を取り締まる、警察その他の官憲が所有するなどの、形態が考えられる。
【００５０】
図示の都合上、同じ場所に、再生装置３と再生装置特定装置５とを表示しているが、再生装置３と再生装置特定装置５とは、通常、別の場所に存在し、使用される時間も異なるのが普通であろう。
【００５１】
そして、本発明のこのシステムによれば、後述するプロセスによって、複製者１０の不正複製を立証できる。
【００５２】
さて、図１に示すシステムにおいて、複製者１０が不正複製を行う際、複製者１０は、記録媒体１を再生装置３にセットし、再生装置３とＡＶ信号記録装置４とを、ケーブルなどで接続し、ＡＶ信号記録装置４に複製記録媒体２をセットする。
【００５３】
また、複製者１０は、ＡＶ信号をモニタするために、再生装置３あるいはＡＶ信号記録装置４を、再生デバイス６に接続する。
【００５４】
ここで、再生デバイス６としては、ＡＶ信号が、音声・映像の両方を含むときには、テレビジョン装置等が用いられるであろう。また、ＡＶ信号が音声のみならば、再生デバイス６として、アンプ及びスピーカ（またはヘッドフォン）等が用いられるであろう。
【００５５】
上述したように、ＡＶ信号は、アナログ／デジタルのいずれでも良いが、再生デバイス６としては、使用するＡＶ信号の方式に適合するものが用いられよう。
【００５６】
あるいは、複製者１０が、モニタ不要と考えれば、再生デバイス６は、省略されることもあり得る。
【００５７】
次に、再生装置３について説明する。再生装置３のうち、ＡＶ信号再生手段３１は、セットされた記録媒体１から、矢印Ｎ１方向に、ＡＶ信号を読み出す。
【００５８】
電子透かし生成手段３２は、再生装置３を特定できる、属性情報を示す電子透かしを生成する。この生成の手法は、従来技術の項で紹介した、書籍に記載の手法など、常法で差し支えない。重要なのは、この属性情報が、再生装置３を特定できることである。
【００５９】
電子透かし埋め込み手段３３は、ＡＶ信号再生手段３１からＡＶ信号を入力し、電子透かし生成手段３２から電子透かしを入力する。そして、電子透かし埋め込み手段３３は、ＡＶ信号に、電子透かしを埋め込んだ、埋込済みＡＶ信号を生成する。
【００６０】
出力手段３４は、電子透かし埋め込み手段３３が生成した、埋込済みＡＶ信号を、再生装置３に接続される、再生デバイス６及びＡＶ信号記録装置４に出力する。
【００６１】
ここで、複製者１０が再生デバイス６を用いて、ＡＶ信号をモニタしたとしても、電子透かしは、上述したように、視聴者に知覚できないように埋め込まれるデータであるから、複製者１０は、通常、モニタしているＡＶ信号に、電子透かしが埋め込まれていることに気づかない。
【００６２】
さて、本発明では、上述した公報記載の技術のように、電子透かしによって、ＡＶ信号の品質を大幅に劣化させるものではない。したがって、複製者１０が、不正複製を行わず、単に、記録媒体１に記録されたＡＶデータをモニタするだけなら、良好な品質のままモニタすることができる。
【００６３】
この点（正当なモニタのみなら良好な品質が維持される点）においても、本発明は、上記公報記載の技術よりも、優れている。
【００６４】
次に、再生装置特定装置５について、説明する。再生装置特定装置５のうち、ＡＶ信号再生手段５１は、セットされた複製記録媒体２からＡＶ信号を読み出す（この場合、再生装置３の属性情報が、電子透かしとして埋め込まれた、埋込済みＡＶ信号が読み出されることになる）。
【００６５】
電子透かし抽出手段５２は、ＡＶ信号再生手段５１が読み出したＡＶ信号（埋込済みＡＶ信号）から電子透かしを抽出する。この抽出の手法は、電子透かし埋め込み手段３３の処理の逆の処理である。
【００６６】
印刷手段５３は、プリンタなどからなり、電子透かし抽出手段５２が抽出した電子透かしを用紙に印刷する。勿論、電子透かしを人間が具体的に理解できるように、できれば十分であるから、ディスプレイ等で代用して良いことは、いうまでもない。
【００６７】
さて、複製記録媒体２から抽出された電子透かしが、再生装置３の固有の属性情報を示すことが明らかとなった場合、再生装置３の所有者等である、複製者１０が、複製記録媒体２の不正複製に関与した疑いが、濃厚になることは、容易に理解されよう。
【００６８】
このように、本発明は、再生されるＡＶ信号に、再生装置３固有の属性情報を、電子透かしとして、埋め込むことにより、記録媒体１の著作権を、有効に保護することができるのである。
【００６９】
ここで、複製者１０の立場に立ってみると、再生デバイス６でモニタしても、電子透かしが埋め込まれていることを、通常、気づけないから、複製者１０が知らないうちに、複製記録媒体２に、その不正複製の証拠が刻み込まれているということになる。
【００７０】
したがって、この事態を知った、複製者１０は、後に、再生装置特定装置５によって、不正を暴かれることをおそれて、安易な不正複製をしなくなるであろう。
【００７１】
このことにより、本発明は、不正複製を抑止できるのである。
【００７２】
次に、記録媒体１に記録されるＡＶ信号として、代表的な、符号化されたＡＶ信号を取り上げ、それに好適な実施の形態を、さらに具体的に説明する。
【００７３】
図２及び図３は、本発明の実施の形態に係る再生装置及び再生装置特定装置の構成図である。
【００７４】
図２では、ＡＶ信号に識別コードを電子透かしとして埋め込む再生装置の基本構成を示しており、図３には、識別コードが電子透かしとして埋め込まれたＡＶ信号から識別コードを抽出する再生装置特定装置を示している。
【００７５】
図２において、再生装置は、符号化信号入力部１０１と復号部１０２と識別コード生成部１０３と電子透かし埋め込み部１０４と出力部１０５を備える。
【００７６】
ここで本例では、符号化信号入力部１０１と復号部１０２とが、図１のＡＶ信号再生手段３１に対応する。また、識別コード生成部１０３が電子透かし生成手段３２に対応し、電子透かし埋め込み部１０４が電子透かし埋め込み手段３３に対応し、出力部１０５が出力手段３４に対応する。
【００７７】
また、図３において、再生装置特定装置は、入力部２０１と信号系列記録部２０２と相関値算出部２０３と閾値設定部２０４と比較部２０５と識別コード判定部２０６と識別コード出力部２０７を備える。
【００７８】
ここで本例では、入力部２０１が図１のＡＶ信号再生手段５１に対応する。また、信号系列記録部２０２と相関値算出部２０３と閾値設定部２０４と比較部２０５と識別コード判定部２０６とが、電子透かし抽出手段５２に対応し、識別コード出力部２０７が印刷手段５３に対応する。
【００７９】
なお、相関値算出部２０３は、次のように定義される相関値Ｓ（ｋ）を求める。
Ｓ（ｋ）＝Σ（Ｘｉ×Ｎｉ（ｋ））  （ｉ＝１，２，...，Ｉ）
但し、Ｘ：入力されるＡＶ信号の系列
Ｎ：対応表にある全ての信号系列、例：Ｎ（ｋ）  ｋ＝１，２，...，ｍ
ｍ：対応表にある信号系列の個数
【００８０】
以下、ＡＶ信号に識別コードを電子透かしとして埋め込む再生方法について、図４を用いて説明する。図４は、図２の識別コードを電子透かしとして埋め込む再生装置で行う処理を示すフローチャートである。
【００８１】
符号化信号入力部１０１は、符号化されたＡＶ信号を、記録媒体（例えば、ＤＶＤ、ＤＶ、ＨＤＤ等）からの読み出し、または、放送の受信、または、ネットワーク（例えば、インターネット）からのダウンロードによって獲得し、復号部１０２へ送る（ステップ３０１）。次に、復号部１０２は、圧縮や伝送用プロトコル等の規則によって符号化されたＡＶ信号を復号化して、ベースバンドのＡＶ信号を生成する（ステップ３０２）。
【００８２】
次に、識別コード生成部１０３の処理（ステップ３０３）について、図５を用いて説明する。図５は、識別コード生成部１０３の処理の流れを示すフローチャートである。
【００８３】
識別コード生成部１０３は、再生装置の固有の属性情報として、再生装置の装置ＩＤ、再生装置に接続されたＩＣカードのカードＩＤ、利用者のユーザＩＤ、ＡＶ信号の素材ＩＤ、ＡＶ信号が蓄積された記録媒体のメディアＩＤ、再生日時から、あるいはそれらを組み合わせて識別コードを作成する（ステップ４０１）。
【００８４】
例えば、再生装置の装置ＩＤを「１５２」とし、これを識別コードとする。
【００８５】
次に、識別コードを「０」，「１」の２値のビット列に展開する（ステップ４０２）。装置コード「１５２」を、ビット列に展開すると「１００１１０００」となる。
【００８６】
次に、ビット展開された識別コードで１になっているビット位置に対応する信号系列を、予め用意された対応表から検索する（ステップ４０３）。
【００８７】
図６は、識別コードのビット位置と信号系列の対応表である。図７は、識別コードのビット位置を表す。
【００８８】
ビット列に展開された識別コード「１００１１０００」では、ＬＳＢから、４ビット目、５ビット目及び８ビット目が、「１」となっているので、対応表を用いて、「１」となっているビット数に対応する、３つの信号系列｛Ｎ４、Ｎ５、Ｎ８｝が得られる。識別コード生成部１０３は、この信号系列を電子透かし埋め込み部１０４へ送る（ステップ４０４）。
【００８９】
なお、識別コードをビット列に展開するときに、識別コードを２進表示とて展開したが、ビット列へ展開方法はこれに限らない。例えば、ＡＳＣＩＩコード等のコード表を用いてもよい。
【００９０】
また、対応表から信号系列を検索するときに、「１」のビット位置から信号系列を作成したが、「０」のビット位置から作成してもかまわない。
【００９１】
次に、電子透かし埋め込み部１０４の処理（ステップ３０４）について、図８を用いて説明する。図８は、電子透かし埋め込み部１０４の処理の流れを表すフローチャートである。
【００９２】
電子透かし埋め込み部１０４は、識別コード生成部１０３から入力された複数の信号系列を、一定時間Ｔあたり同じ割合で、埋めこむ。
【００９３】
こうするのは、後に、一定時間Ｔ分のＡＶ信号を取り出すと、一定の割合で、信号系列を取り出せて便利だからである。
【００９４】
即ち、まず、一定時間Ｔで埋め込むそれぞれの信号系列の回数ＥＭＡＸを設定し（ステップ７０１）、各信号系列の埋め込み回数を０にクリアする（ステップ７０２）。
【００９５】
次に、埋め込み回数がＥＭＡＸでない信号系列の中からから１つをランダムに選択し、その信号系列の埋め込み回数をインクリメントする（ステップ７０３）。
【００９６】
次に、選択された信号系列を復号部１０２から入力されたＡＶ信号の所定の単位に、従来から用いられる方法で電子透かしとして埋めこむ（ステップ７０４）。
【００９７】
そして、全ての信号系列の埋め込み回数がＥＭＡＸになるまで、ステップ７０３の信号系列の選択からの処理を繰り返し、次の処理に進む（ステップ７０５）。
【００９８】
さらに、ステップ７０３〜ステップ７０５の埋め込み処理を繰り返す場合は、ステップ７０２の埋め込み回数のクリアから処理を繰り返し、そうでなければ、埋め込み処理を終了する（ステップ７０６）。
【００９９】
次に、出力部１０５は、電子透かし埋め込み部１０４で識別コードが電子透かしとして埋め込まれたＡＶ信号を、モニタ、スピーカ、記録装置、ネットワーク等へ出力する（ステップ３０５）。
【０１００】
図９は、映像信号に信号系列を埋め込んだ例である。埋め込む信号系列は｛Ｎ４、Ｎ５、Ｎ８｝、１つの信号系列を埋め込む映像信号の単位（前記、所定の単位）は１フィールド、各信号系列の割合を同じにする一定時間Ｔを９フィールドとし、９フィールドに各々の信号系列は３回ずつ埋め込んでいる。
【０１０１】
ここでは、１フィールドを所定の単位として、１つの信号系列を埋め込んでいるが、１フレームを所定の単位としてもよいし、数フィールドや数フレームを所定の単位としてもよい。
【０１０２】
次に、識別コードが電子透かしとして埋め込まれたＡＶ信号から識別コードを抽出して、再生装置を特定する再生装置特定方法について、図１０を用いて説明する。図１０は、図３の再生装置特定装置で行う処理を示すフローチャートである。
【０１０３】
入力部２０１は、入力されたＡＶ信号を、１つの信号系列が埋めこまれている所定の単位毎に分割し、相関値算出部２０３へ送る（ステップ９０１）。信号系列記録部２０２は、識別コードのビット位置と信号系列との対応表で、再生装置で用いたものと同じ内容を記録している。
【０１０４】
相関値算出部２０３は、全ての信号系列と入力部２０１から入力されたＡＶ信号との相関値を求め、その中から最大の相関値を求める（ステップ９０２）。最大の相関値と、その相関を抽出した信号系列が対応するビット位置とを比較部２０５に送る。
【０１０５】
例えば、図５の対応表を用いた場合、相関値算出部２０３は、ｍ個の信号系列｛Ｎ１、Ｎ２、…、Ｎｍ｝とＡＶ信号との相関値を求め、その中から最大の相関値を求める。最大の相関値ＳＭＡＸが信号系列｛Ｎ４｝との相関で得られた場合、最大の相関値ＳＭＡＸと信号系列｛Ｎ４｝が対応するビット位置｛４｝とを比較部２０５へ送る。
【０１０６】
次に、閾値設定部２０４は、比較部２０５の相関値の閾値を設定する（ステップ９０３）。比較部２０５は、最大の相関値と閾値とを比較し（ステップ９０４）、相関値が大きい場合は、その相関値を抽出した信号系列に対応するビット位置を識別コード判定部２０６へ送る。なお、最大の相関値が、閾値以下なら、処理は行わない。
【０１０７】
なお、不正複製などで、外乱が発生すると、閾値より大きい相関値が全く存在しない場合や、閾値より大きい相関値が複数存在する場合が、あり得る。このようなときには、比較部２０５は、例外的な処理として、閾値と相関値とを比較するのではなく、最大の相関値Ｓ１が他の相関値Ｓｎに対して、一定条件（例えば、Ｓ１＞Ｓｎなる条件）を満たす場合のみ、その信号系列に対応するビット位置を抽出するようにすると良い。
【０１０８】
次に、識別コード判定部２０６の処理（ステップ９０５）について、図１１を用いて詳しく説明する。図１１は、識別コード判定部２０６の処理の流れを表すフローチャートである。
【０１０９】
識別コード判定部２０６は、少なくとも再生装置で用いた一定時間Ｔ以上の長さのＡＶ信号から得られた複数の信号系列との相関を求めて得られた複数のビット位置を保持する（ステップ１００１）。次に、複数のビット位置から識別コードのビット列を生成し（ステップ１００２）、ビット列から識別コードを生成する（ステップ１００３）。
【０１１０】
なお、ビット列の作成および、識別コードの生成は、再生装置での解釈、方法と同じであるのは言うまでもない。例えば、一定時間ＴのＡＶ信号から得られた複数のビット位置が｛４、５、８｝の場合、再生装置では識別コードのビット列で「１」に対応したビット位置の信号系列を埋め込んでいるので、ビット列「１００１１００」が得られる。
【０１１１】
また、再生装置では、ビット列の生成は、１０進から２進への変換を用いたので、ビット列「１００１１００」から識別コード「１５２」が得られる。
【０１１２】
次に、識別コード出力部２０７は、識別コード判定部２０６で抽出した識別コードを出力する（ステップ９０６）。
【０１１３】
また、再生装置の識別コード生成部１０３と再生装置特定装置の信号系列記録部２０２は、保持している対応表の内容を、対応表の変更信号によって変更する。対応表の変更は、どのような方法によってもかまわない。予め識別コード生成部１０３と信号系列記録部２０２にいくつかの対応表を保持して、それを切り替えてもよいし、新しい対応表を外部から入力してもよい。
【０１１４】
識別コード生成部１０３と信号系列記録部２０２の対応表の変更は、同時に、しかも同じ内容に変更される。
【０１１５】
これにより、再生装置では、同じ識別コードでも異なる信号系列をＡＶ信号に電子透かしとして埋め込みが可能となり、再生装置特定装置では、埋め込まれた識別コードを正しく抽出できる。
【０１１６】
また、再生装置の識別コード生成部１０３と再生装置特定装置の信号系列記録部２０２の対応表で使われる複数の信号系列は、相互相関が予め設定した値（相互相関の閾値）よりも小さくなるような信号系列を用いる。相互相関がより小さな信号系列を選ぶ方が、埋め込まれた信号系列の抽出精度が向上し、識別コードの抽出精度が向上する。好ましくは、ＰＮ符号、Ｍ系列符号、Ｇｏｌｄ符号を用いる。
【０１１７】
以上のように、本実施の形態に係る再生装置によれば、符号化されたＡＶ信号の符号化を行い、対応表を用いて識別コードを複数の信号系列に変換し、得られた複数の信号系列を一定時間Ｔあたり同じ割合で電子透かしとして埋め込む。
【０１１８】
一方、再生装置特定装置によれば、電子透かしが埋め込まれたＡＶ信号と、対応表に含まれた信号系列との相関値を求め、予め設定していた閾値と比較することにより、埋め込まれた信号系列を決定する。
【０１１９】
そして、一定時間Ｔ以上の長さのＡＶ信号から得られた複数の信号系列から、再生装置の識別コードを抽出する。
【０１２０】
さらに、再生装置と再生装置特定装置の対応表は、同時に、同じ内容に変更する。そして、同じ識別コードでも、埋め込む信号系列を変更可能とする。
【０１２１】
【発明の効果】
本発明によれば、不正に複製されたＡＶ信号から、抽出した電子透かしにより、複製に使用した再生装置を、具体的に特定できる。したがって、特定された再生装置の所有者等が、不正複製に関与したことを、主張でき、著作権の保護体制を確立して、不正複製を抑止できる。
【０１２２】
また、本発明によれば、ＡＶ信号が符号化されている場合に対応でき、識別コードによって複製に使用した再生装置を特定できる。
【０１２３】
また、本発明によれば、複製に使用した再生装置及び複製者を、正確に特定できる。
【０１２４】
また、本発明によれば、不正に複製されたＡＶ信号から、複製の際に用いられた再生装置の識別コードを抽出でき、不正複製を防止することができる。
【０１２５】
また、本発明によれば、不正な複製者が、ＡＶ信号の時間的な順序を変更する加工を行った場合も、不正に複製されたＡＶ信号から、確実に、識別コードを抽出でき、再生装置を特定できる。
【０１２６】
また、本発明によれば、再生装置特定装置での埋め込み信号系列の抽出精度が向上し、識別コードの抽出精度が向上する。
【０１２７】
また、本発明によれば、異なる信号系列を埋め込むことにより、複製者に電子透かしの埋め込み法を見破られにくくすることができる。
【０１２８】
また、本発明によれば、不正な複製者が、ＡＶ信号の一部を一定間隔で抜き取る加工を行った場合も、不正に複製されたＡＶ信号から、確実に、識別コードを抽出でき、再生装置を特定できる。
【０１２９】
また、本発明によれば、万一、電子透かしの、埋め込み法や抽出法が、第三者に漏れたとしても、これらの方法を、再生装置と再生装置特定装置とにおいて、相対応するように更新することにより、第三者による不正複製に対抗できる。
【図面の簡単な説明】
【図１】本発明の実施の形態に係る再生装置特定システムのブロック図
【図２】同再生装置のブロック図
【図３】同再生装置特定装置のブロック図
【図４】同再生装置のフローチャート
【図５】同識別コード生成部の示すフローチャート
【図６】同識別コードのビット位置と信号系列の対応表の例示図
【図７】同識別コードのビット位置の説明図
【図８】同電子透かし埋め込み部のフローチャート
【図９】同映像信号へ信号系列を埋め込む例を表す説明図
【図１０】同再生装置特定装置のフローチャート
【図１１】同識別コード判定部のフローチャート
【符号の説明】
１  記録媒体
２  複製記録媒体
３  再生装置
４  ＡＶ信号記録装置
５  再生装置特定装置
６  再生デバイス
１０  複製者
３１  ＡＶ信号再生手段
３２  電子透かし生成手段
３３  電子透かし埋め込み手段
３４  出力手段
５１  ＡＶ信号再生手段
５２  電子透かし抽出手段
５３  印刷手段
１０１  符号化信号入力部
１０２  復号部
１０３  識別コード生成部
１０４  電子透かし埋め込み部
１０５  出力部
２０１  入力部
２０２  信号系列記録部
２０３  相関値算出部
２０４  閾値設定部
２０５  比較部
２０６  識別コード判定部
２０７  識別コード出力部
【図１】
0003691415.tif 000002
【図２】
0003691415.tif 000003
【図３】
0003691415.tif 000004
【図４】
0003691415.tif 000005
【図５】
0003691415.tif 000006
【図６】
0003691415.tif 000007
【図７】
0003691415.tif 000008
【図８】
0003691415.tif 000009
【図９】
0003691415.tif 000010
【図１０】
0003691415.tif 000011
【図１１】
0003691415.tif 000012